(57)【特許請求の範囲】
【請求項１】
多行多列に複数の板材構成部が配列されて一体成形された無機質成形体であって、その裏面において互いに幅方向に隣接する板材構成部の境界部に縦方向に突設された補強リブを有すると共に、前記補強リブに対応するようにその表面において互いに幅方向に隣接する板材構成部の境界部に縦方向に形成された境界溝を有し、複数枚の無機質成形体をそれぞれ表面と裏面とが対向するように積み重ねたときに、上に位置する無機質成形体の補強リブがその下に位置する無機質成形体の境界溝の中に入り込むことにより一枚当たりの積み重ね厚さが無機質成形体一枚の厚さより小さくなることを特徴とする無機質成形体。
【請求項２】
窯業系建材である請求項１に記載の無機質成形体。
【請求項３】
無機質成形体の表面において各板材構成部の幅方向中央部に縦方向の中央溝が形成された請求項１または２に記載の無機質成形体。
【請求項４】
前記境界溝は外側の溝とこの外側の溝の内部に形成された内側の溝とを有する少なくとも二段の溝から構成され、複数枚の無機質成形体を積み重ねたときに上に位置する無機質成形体の補強リブの下端部がその下に位置する無機質成形体の境界溝の内側の溝の中に嵌入する請求項１〜３のいずれか一項に記載の無機質成形体。
【請求項５】
前記補強リブは、一条の縦方向のリブ本体と、このリブ本体の一部の上に形成された突出部とを有し、複数枚の無機質成形体を積み重ねたときに上に位置する無機質成形体の補強リブの突出部がその下に位置する無機質成形体の境界溝の上面に当接する請求項１〜３のいずれか一項に記載の無機質成形体。
【請求項６】
裏面の幅方向両端部にそれぞれ少なくとも一つの凸部が突設され、複数枚の無機質成形体を積み重ねたときにこの凸部が対向する無機質成形体の表面に当接する請求項１〜５のいずれか一項に記載の無機質成形体。
【請求項７】
表裏面の少なくとも一方に表面処理層が形成されている請求項１〜６のいずれか一項に記載の無機質成形体。
【請求項８】
互いに表面と裏面とが対向するように積み重ねることを特徴とする請求項１〜７のいずれか一項に記載の無機質成形体の積み重ね方法。
【発明の詳細な説明】
【０００１】
【発明の属する技術分野】
この発明は、無機質成形体及びその積み重ね方法に係り、特に屋根材や外壁材として使用し得る無機質成形体及び複数枚の無機質成形体をほぼ垂直に積み重ねる積み重ね方法に関する。
【０００２】
【従来の技術】
複数の瓦構成部を多行多列に一体成形して敷設作業の効率化を図ろうとする従来の屋根材を図１９に示す。この屋根材は、段差１を幅方向に設けて上段２と下段３との上下二段とし、下段３には幅方向中央に縦方向の一本の溝４を設けて二つの瓦構成部３ａ及び３ｂを形成し、上段２には下段３に対し一つの瓦構成部の半分だけ幅方向にずらして二本の溝５を設け、これらの溝５の間に一つの瓦構成部２ａを形成すると共にその幅方向両側にそれぞれ半分の幅の瓦構成部２ｂ及び２ｃを配置したものである。
【０００３】
図２０に示されるように、上段２の瓦構成部２ａ〜２ｃと下段３の瓦構成部３ａ及び３ｂは互いにほぼ等しい厚さを有しており、上段２の瓦構成部２ａ〜２ｃの下面が下段３の瓦構成部３ａ及び３ｂの上面とほぼ同じ高さになっている。
また、屋根材の裏面には複数のリブ６が形成されており、図２１に示されるように、複数枚の屋根材を積み重ねると、上に位置する屋根材のリブ６が下に位置する屋根材の瓦構成部の上面に当接し、平面ほぼ一致した状態で垂直方向に重ね積みされるようになっている。
【０００４】
【発明が解決しようとする課題】
しかしながら、複数枚の屋根材を積み重ねた場合の積み重ね高さＨは、各瓦構成部の厚さＤに積み重ねた屋根材の枚数Ｎを掛け合わせた値となり、各瓦構成部の厚さＤを厚く設計するほど積み重ね高さＨが高くなって、屋根材の保管及び流通作業性が低下するという問題がある。
また、図１９に示す屋根材を複数接合させて図２２のように施工すると、互いに幅方向に隣接する屋根材の間に縦方向の接合線７や隙間が現われるため、複数の瓦構成部を一体成形した屋根材であることが強調されて違和感を生じるという問題もある。
さらに、このような屋根材の製造時に、各瓦構成部の肉薄部分とリブが形成された肉厚部分とが混在する形状をプレス成型すると、肉厚のリブ部分の表面に充填不良によるクラックや気泡等の成型不良が生じ易くなってしまう。
【０００５】
この発明はこのような問題点を解消するためになされたもので、積み重ね高さを低く抑えることができる無機質成形体、及びその積み重ね方法を提供することを目的とする。
【０００６】
【課題を解決するための手段】
この発明に係る無機質成形体は、多行多列に複数の板材構成部が配列されて一体成形された無機質成形体であって、その裏面において互いに幅方向に隣接する板材構成部の境界部に縦方向に突設された補強リブを有すると共に、補強リブに対応するようにその表面において互いに幅方向に隣接する板材構成部の境界部に縦方向に形成された境界溝を有し、複数枚の無機質成形体をそれぞれ表面と裏面とが対向するように積み重ねたときに、上に位置する無機質成形体の補強リブがその下に位置する無機質成形体の境界溝の中に入り込むことにより一枚当たりの積み重ね厚さが無機質成形体一枚の厚さより小さくなるようにしたものである。
この無機質成形体は、窯業系建材として適用することができる。この場合、無機質成形体の表面において各板材構成部の幅方向中央部に縦方向の中央溝を形成することもできる。
【０００７】
また、境界溝を外側の溝とこの外側の溝の内部に形成された内側の溝とを有する少なくとも二段の溝から構成し、複数枚の無機質成形体を積み重ねたときに上に位置する無機質成形体の補強リブの下端部がその下に位置する無機質成形体の境界溝の内側の溝の中に嵌入するようにしてもよい。また、補強リブが、一条の縦方向のリブ本体と、このリブ本体の一部の上に形成された突出部とを有し、複数枚の無機質成形体を積み重ねたときに上に位置する無機質成形体の補強リブの突出部がその下に位置する無機質成形体の境界溝の上面に当接するようにしてもよい。
【０００８】
裏面の幅方向両端部にそれぞれ少なくとも一つの凸部を突設し、複数枚の無機質成形体を積み重ねたときにこの凸部が対向する無機質成形体の表面に当接するように構成することができる。また、表裏面の少なくとも一方に表面処理層を形成することもできる
この発明に係る無機質成形体の積み重ね方法は、請求項１〜７のいずれか一項に記載の無機質成形体を、互いに表面と裏面とが対向するように積み重ねる方法である。
【０００９】
【発明の実施の形態】
以下、この発明の実施の形態を添付図面に基づいて説明する。
実施の形態１．
図１〜５にこの発明の実施の形態１に係る屋根材を示す。この屋根材は、無機材料から一体成形されたほぼ四角形をなす板形状を有し、段差１１を幅方向に設けて上段１２と下段１３との上下二段としたものである。下段１３には４つの瓦構成部１３ａ〜１３ｄが均等に横方向に配列され、上段１２には下段１３に対して一つの瓦構成部の半分だけ幅方向にずらして３つの瓦構成部１２ａ〜１２ｃが配列されると共にその幅方向両側にそれぞれ半分の幅の瓦構成部１２ｄ及び１２ｅが配置されている。
【００１０】
互いに幅方向に隣接する瓦構成部の境界部には、それぞれ縦方向に沿って境界溝１４が形成され、各瓦構成部の幅方向中央部には縦方向に沿って中央溝１５が形成されている。
図１において、上段１２及び下段１３の左側部には左側に隣接する屋根材との接合用の葺合わせ部１６が延設されており、この葺合わせ部１６の表面上に上段１２及び下段１３にそれぞれ対応して凹部１７及び１８が形成されている。また、上段１２の上縁部には上側に隣接する屋根材との接合用の葺合わせ部１９が延設されており、この葺合わせ部１９に複数の取付孔２０が設けられている。
【００１１】
図２に示す屋根材の裏面において、葺合わせ部１６に隣接して凸部２１及び２２が突設されると共に、葺合わせ部１６とは反対側の側端部にも凸部２３及び２４が突設されている。
【００１２】
図３及び４に示されるように、上段１２と下段１３は互いにほぼ等しい厚さを有しており、上段１２の瓦構成部１２ａ〜１２ｅの下面が下段１３の瓦構成部１３ａ〜１３ｄの上面とほぼ同じ高さになっている。
図５（ａ）及び（ｂ）に示されるように、境界溝１４は、外側の曲面状の溝１４ａと、この外側の溝１４ａの内部に形成された内側の曲面状の溝１４ｂとを備えた二段の溝からなっている。
また、図６に示されるように、屋根材の裏面において、互いに幅方向に隣接する瓦構成部の境界部には、縦方向に補強リブ２５が突設されている。この補強リブ２５は、一条の縦方向のリブ本体２６と、リブ本体２６の一部の上に形成されたほぼ矩形の平面状の底面を有する突出部２７とを含んでいる。
【００１３】
このような構造を有する実施の形態１の屋根材を二枚積み重ねると、図７（ａ）に示されるように、上側に位置する屋根材裏面の補強リブ２５の突出部２７が下側に位置する屋根材表面の境界溝１４の外側の溝１４ａの上面に当接すると共に、屋根材の両側端部において上側の屋根材裏面の凸部２１〜２４が下側の屋根材の表面に当接し、これにより平面ほぼ一致した状態でしっかりと重ね積みされる。このとき、上側の屋根材の補強リブ２５の一部が下側の屋根材表面の境界溝１４の中に入り込むため、図７（ｂ）に示されるように、二枚の屋根材の積み重ね高さｈは、各瓦構成部の厚さｄの二倍より小さくなっている。すなわち、複数枚の屋根材を積み重ねた場合に、一枚当たりの積み重ね厚さが各瓦構成部の厚さｄより小さくなり、このため、屋根材の保管及び流通作業性が向上する。
また、複数枚の屋根材を積み重ねた場合に、屋根材の両側端部において上側の屋根材裏面の凸部２１〜２４が下側の屋根材の表面に当接するので、積み重ねた状態でロープやテープを幅方向に巻回することにより、各屋根材の端部に不必要な応力を与えることなく束ねることができ、保管や運搬が容易となる。
【００１４】
実施の形態１の屋根材を複数組み合わせて施工した状態を図８（ａ）及び（ｂ）に示す。図８（ａ）は縦方向に接する屋根材が互いに幅方向に同じ位置となるように幅方向の位相を合致させて組み合わせた状態、図８（ｂ）は縦方向に接する屋根材が互いに全長の半分だけ幅方向にずれるように千鳥状に組み合わせた状態を示している。各瓦構成部の幅方向中央部に縦方向に沿って中央溝１５が形成されているため、図８（ａ）及び図８（ｂ）いずれの場合においても、施工により幅方向に隣接する屋根材との接合部に生じる縦方向の接合線２８は、見かけ上中央溝１５と極めて類似し、複数の瓦構成部の一体成形体であることが目立たず、あたかも各瓦構成部ごとに施工したような外観が与えられて違和感が生じない。
【００１５】
互いに幅方向に隣接する組み合わせ部分においては、図９に示されるように、一方の屋根材の裏面の凸部２３及び２４が他方の屋根材の葺合わせ部１６の凹部１７及び１８にそれぞれ嵌合し、これにより屋根材と屋根材との位置ずれが防止される。
【００１６】
なお、屋根材の裏面において補強リブ２５が突設される箇所には、その表面側に境界溝１４が形成されるので、この補強リブ部分の厚さを小さく抑えることができ、このため屋根材の製造時に、各瓦構成部の肉薄部分と補強リブが形成された肉厚部分とが混在する形状をプレス成型しても、充填不良による成型不良を生じず、優れた強度及び成型性が得られる。
【００１７】
実施の形態２．
図１０〜１４にこの発明の実施の形態２に係る屋根材を示す。この屋根材は、実施の形態１に係る屋根材において、互いに幅方向に隣接する瓦構成部の境界部の、表面側に形成された縦方向の境界溝１４及び裏面側に突設された縦方向の補強リブ２５の代わりに、形状の異なる境界溝３１及び補強リブ３２を設けたものであり、他の構成は実施の形態１の屋根材と同様である。
【００１８】
屋根材の表面に形成された境界溝３１は、外側の平面状の溝３１ａと、この外側の溝３１ａの内部に形成された内側の平面状の溝３１ｂとを備えた二段の溝からなっている。
これに対して、屋根材の裏面に突設された補強リブ３２は、図１５及び図１６（ｂ）に明確に示されるように、縦方向に直線状に形成されたリブ本体３３と、このリブ本体３３の下端にさらに直線状に突設された突出部３４とからなっている。
【００１９】
このような構造を有する実施の形態２の屋根材を二枚積み重ねると、図１６（ａ）及び（ｂ）に示されるように、上側に位置する屋根材裏面の補強リブ３２のリブ本体３３の下面が下側に位置する屋根材表面の境界溝３１の外側の溝３１ａの上面に当接すると共に、上側の屋根材の補強リブ３２の突出部３４が下側の屋根材の境界溝３１の内側の溝３１ｂ内に嵌入され、これにより平面ほぼ一致した状態でしっかりと重ね積みされ且つ横ずれを生じる惧れがなくなる。
【００２０】
このとき、上側の屋根材の補強リブ３２の一部が下側の屋根材表面の境界溝３１の中に入り込むため、実施の形態１と同様に、図１６（ｃ）に示されるように、二枚の屋根材の積み重ね高さｈは、各瓦構成部の厚さｄの二倍より小さくなっている。すなわち、複数枚の屋根材を積み重ねた場合に、一枚当たりの積み重ね厚さが各瓦構成部の厚さｄより小さくなり、このため、屋根材の保管及び流通作業性が向上する。
【００２１】
また、実施の形態１と同様に、積み重ねた状態でロープやテープを幅方向に巻回することにより、各屋根材の端部に不必要な応力を与えることなく束ねることができ、保管や運搬が容易となる。
各瓦構成部の幅方向中央部に縦方向に沿って中央溝１５が形成されているため、施工により幅方向に隣接する屋根材との接合部に生じる縦方向の接合線は、見かけ上中央溝１５と極めて類似し、複数の瓦構成部の一体成形体であることが目立たず、あたかも各瓦構成部ごとに施工したような外観が与えられて違和感が生じない。
さらに、屋根材の裏面において補強リブ３２が突設される箇所には、その表面側に二段の境界溝３１が形成されるので、この補強リブ部分の厚さを小さく抑えることができ、このため屋根材の製造の際に脱水成型しても、充填不良による成型不良を生じず、優れた強度及び成型性が得られる。
【００２２】
実施の形態３．
図１７及び１８にこの発明の実施の形態３に係る屋根材を示す。この屋根材は、実施の形態２に係る屋根材において、互いに幅方向に隣接する瓦構成部の境界部の、表面側に形成された縦方向の境界溝３１の代わりに、境界溝４１を形成したものである。
【００２３】
屋根材の表面に形成された境界溝４１は、縦方向の平面状の一段のみの溝からなっている。この実施の形態３の屋根材を二枚積み重ねると、図１８（ａ）及び（ｂ）に示されるように、上側に位置する屋根材裏面の補強リブ３２の下面が下側に位置する屋根材表面の境界溝４１の上面に当接し、これにより平面ほぼ一致した状態でしっかりと重ね積みされる。
【００２４】
このとき、上側の屋根材の補強リブ３２の一部が下側の屋根材表面の境界溝４１の中に入り込むため、実施の形態１及び２と同様に、図１８（ｂ）に示されるように、屋根材一枚当たりの積み重ね厚さが各瓦構成部の厚さより小さくなり、このため、屋根材の保管及び流通作業性が向上する。
【００２５】
なお、図１７に示した屋根材では、各瓦構成部の幅方向中央部に縦方向の中央溝が形成されていないため、施工により幅方向に隣接する屋根材との接合部に縦方向の隙間が形成されると、複数の瓦構成部の一体成形体であることが目立ってしまうが、実施の形態１及び２と同様に各瓦構成部の幅方向中央部に縦方向の中央溝を形成することにより、あたかも各瓦構成部ごとに施工したような外観を与えることが可能である。
【００２６】
なお、上述した実施の形態１〜３において、無機質成形体からなるの屋根材の表裏面の少なくとも一方に表面処理層を形成することもできる。
実施の形態１〜３では、屋根材について述べたが、この発明は屋根材に限るものではなく、同様の構造の外壁材を形成することもでき、窯業系建材等に幅広く適用することが可能である。
【００２７】
【発明の効果】
以上説明したように、この発明によれば、多行多列に複数の板材構成部が配列されて一体成形された無機質成形体の裏面において互いに幅方向に隣接する板材構成部の境界部に縦方向に補強リブを突設すると共に、補強リブに対応するようにその表面において互いに幅方向に隣接する板材構成部の境界部に縦方向に境界溝を形成し、複数枚の無機質成形体をそれぞれ表面と裏面とが対向するように積み重ねたときに、上に位置する無機質成形体の補強リブがその下に位置する無機質成形体の境界溝の中に入り込むことにより一枚当たりの積み重ね厚さが無機質成形体一枚の厚さより小さくなるようにしたので、無機質成形体の保管及び流通作業性の向上を図ることができる。
また、積み重ねた状態でロープやテープを幅方向に巻回することにより、各無機質成形体の端部に不必要な応力を与えることなく束ねることができ、保管や運搬が容易となる。
各板材構成部の幅方向中央部に縦方向に沿って中央溝を形成すれば、施工により幅方向に隣接する無機質成形体との接合部に生じる縦方向の接合線は、見かけ上中央溝と類似し、複数の板材構成部の一体成形体であることが目立たず、あたかも各板材構成部ごとに施工したような外観が与えられて違和感が生じない。
さらに、裏面に補強リブを突設すると共にその突設箇所の表面側に境界溝を形成して、補強リブ部分の厚さを小さく抑えれば、無機質成形体の製造の際に脱水成型しても、充填不良による成型不良を生じず、優れた強度及び成型性が得られる。
【図面の簡単な説明】
【図１】この発明の実施の形態１に係る屋根材を示す平面図である。
【図２】実施の形態１に係る屋根材を示す底面図である。
【図３】実施の形態１に係る屋根材を示す正面図である。
【図４】実施の形態１に係る屋根材を示す側面図である。
【図５】（ａ）は図１のＡ−Ａ線断面図、（ｂ）は図１のＢ−Ｂ線断面図、（ｃ）は図１のＣ−Ｃ線断面図である。
【図６】実施の形態１に係る屋根材の底面を示す部分斜視図である。
【図７】実施の形態１に係る屋根材を二枚積み重ねた状態を示し、（ａ）は正面断面図、（ｂ）は側面断面図である。
【図８】実施の形態１に係る屋根材を複数組み合わせて施工した状態を示し、（ａ）は縦方向に接する屋根材が互いに幅方向に同じ位置となるように組み合わせた状態の斜視図、（ｂ）は縦方向に接する屋根材が互いに全長の半分だけ幅方向にずれるように組み合わせた状態の斜視図である。
【図９】屋根材の組み合わせ部分を示す部分破断斜視図である。
【図１０】この発明の実施の形態２に係る屋根材を示す平面図である。
【図１１】実施の形態２に係る屋根材を示す底面図である。
【図１２】実施の形態２に係る屋根材を示す正面図である。
【図１３】実施の形態２に係る屋根材を示す側面図である。
【図１４】（ａ）は図１０のＤ−Ｄ線断面図、（ｂ）は図１０のＥ−Ｅ線断面図である。
【図１５】実施の形態２に係る屋根材の底面を示す部分斜視図である。
【図１６】実施の形態２に係る屋根材を二枚積み重ねた状態を示し、（ａ）は正面断面図、（ｂ）は正面部分拡大断面図、（ｃ）は側面断面図である。
【図１７】この発明の実施の形態３に係る屋根材を示す平面図である。
【図１８】実施の形態３に係る屋根材を二枚積み重ねた状態を示し、（ａ）は正面断面図、（ｂ）は側面断面図である。
【図１９】従来の屋根材を示す斜視図である。
【図２０】従来の屋根材の側面断面図である。
【図２１】従来の屋根材を複数枚積み重ねた状態を示す側面図である。
【図２２】従来の屋根材を複数組み合わせて施工した状態を示す斜視図である。
【符号の説明】
１１    段差
１２    上段
１３    下段
１４，３１，４１    境界溝
１５    中央溝
１６，１９    葺合わせ部
１７，１８    凹部
２０    取付孔
２１〜２４    凸部
２５，３２    補強リブ
２６，３３    リブ本体
２７，３４    突出部
２８    接合線
１２ａ〜１２ｅ，１３ａ〜１３ｄ    瓦構成部
１４ａ，１４ｂ，３１ａ，３１ｂ    溝
【図１】
0003995177.tif 000002
【図２】
0003995177.tif 000003
【図３】
0003995177.tif 000004
【図４】
0003995177.tif 000005
【図５】
0003995177.tif 000006
【図６】
0003995177.tif 000007
【図７】
0003995177.tif 000008
【図８】
0003995177.tif 000009
【図９】
0003995177.tif 000010
【図１０】
0003995177.tif 000011
【図１１】
0003995177.tif 000012
【図１２】
0003995177.tif 000013
【図１３】
0003995177.tif 000014
【図１４】
0003995177.tif 000015
【図１５】
0003995177.tif 000016
【図１６】
0003995177.tif 000017
【図１７】
0003995177.tif 000018
【図１８】
0003995177.tif 000019
【図１９】
0003995177.tif 000020
【図２０】
0003995177.tif 000021
【図２１】
0003995177.tif 000022
【図２２】
0003995177.tif 000023